(57)【要約】      （修正有）【課題】長短合わせて２４のコード全てを出せるとともにクロマチックハーモニカとしてメロディをも演奏出来るハーモニカを提供する。【解決手段】スライド式ハーモニカ、または仕切り板を設けスライド式と同等の機能を持たせたハーモニカにおいて、スライド板をプッシュしない状態で吹音と吸音を交互に繰り返したとき左半分と右半分とでキーが短３度の音程差を持つメジャースケールとなるようにする。さらに、スライド板をプッシュした時それぞれのスケール上の導音以外の音を全ての音が半音高くなるか、または下属音以外の音を全て半音低くなるような音列とする。【選択図】図１
0003181689.tif 000002
【実用新案登録請求の範囲】
【請求項１】
１穴につき吹音用リードと吸音用リードが２対あり、スライド板の操作によりどちらか１対のみ音が出せるようにしたハーモニカ、または１穴につき吹音用リード２枚または吸音用のリード２枚を持ち、スライド板の操作により、どちらか１枚のみ音が出せるようにし、１穴ごとに吹音と吸音を交互に繰り返すタイプのスライド式ハーモニカ、あるいは１穴につき吹音用リードと吸音用リードが２対ありハーモニカカバーとハーモニカ本体との間に仕切り板を設け、この仕切られた各部屋に、吹音用リードと吸音用リードの各対を隔離した構造のハーモニカとし、音域は随意であるが、ハーモニカ全体を左右半分に分けて考えた時、スライド板をプッシュしない状態で吹音と吸音を交互に繰り返した時、左半分と右半分とでキーが短３度の音程差となるようなメジャースケールとなり、スライド板をプッシュした時、それぞれのスケール上の導音以外の全ての音が半音高くなるか、下属音以外の音を全て半音低くなるような音列とし、長短合わせて２４全てのコードを出せるとともに、クロマチックハーモニカとしてメロディをも演奏できることを特徴としたコードハーモニカ。
【請求項２】
上記記載の構造を持つハーモニカにおいて、上側のリード板の左半分の吹音用のリードを
シ  レ  ファ  ラ  ド  ミ  ソ  シ  レ  ファ  ラ  ド
のパターンの繰り返しとし、吸音用リードを
ド  ミ  ソ  シ  レ  ファ  ラ  ド  ミ  ソ  シ  レ
のパターンの繰り返しとし、右半分の吹音用リードを
レ  ファ  ラ♭  ド  ミ♭  ソ  シ♭  レ  ファ  ラ♭  ド  ミ♭
のパターンの繰り返しとし、右半分の吸音用リードを
ミ♭  ソ  シ♭  レ  ファ  ラ♭  ド  ミ♭  ソ  シ♭  レ  ファ
のパターンの繰り返しとし、下側のリード板の左半分の吹音用のリードを
シ  レ♯  ファ♯  ラ♯  ド♯  ミ♯  ソ♯  シ  レ♯  ファ♯  ラ♯  ド♯
のパターンの繰り返しとし、左半分の吸音用リードを
ド♯  ミ♯  ソ♯  シ  レ♯  ファ♯  ラ♯  ド♯  ミ♯  ソ♯  シ  レ♯
のパターンの繰り返しとし、右半分の吹音用リードを
レ  ファ♯  ラ  ド♯  ミ  ソ♯  シ  レ  ファ♯  ラ  ド♯  ミ
のパターンの繰り返しとし、右半分の吸音用リードを
ミ  ソ♯  シ  レ  ファ♯  ラ  ド♯  ミ  ソ♯  シ  レ  ファ♯
のパターンの繰り返しとした請求項１に記載のハーモニカ。
【請求項３】
上記記載の構造を持つハーモニカにおいて、上側のリード板の左半分の吹音用のリードを
シ  レ  ファ  ラ  ド  ミ  ソ  シ  レ  ファ  ラ  ド
のパターンの繰り返しとし、吸音用リードを
ド  ミ  ソ  シ  レ  ファ  ラ  ド  ミ  ソ  シ  レ
のパターンの繰り返しとし、右半分の吹音用リードを
ソ♯  シ  レ  ファ♯  ラ  ド♯  ミ  ソ♯  シ  レ  ファ♯  ラ
のパターンの繰り返しとし、右半分の吸音用リードを
ラ  ド♯  ミ  ソ♯  シ  レ  ファ♯  ラ  ド♯  ミ  ソ♯  シ
のパターンの繰り返しとし、下側のリード板の左半分の吹音用のリードを
シ  レ♯  ファ♯  ラ♯  ド♯  ミ♯  ソ♯  シ  レ♯  ファ♯  ラ♯  ド♯
のパターンの繰り返しとし、左半分の吸音用リードを
ド♯  ミ♯  ソ♯  シ  レ♯  ファ♯  ラ♯  ド♯  ミ♯  ソ♯  シ  レ♯
のパターンの繰り返しとし、右半分の吹音用リードを
ラ♭  ド  ミ♭  ソ  シ♭  レ  ファ  ラ♭  ド  ミ♭  ソ  シ♭
のパターンの繰り返しとし、右半分の吸音用リードを
シ♭  レ  ファ  ラ♭  ド  ミ♭  ソ  シ♭  レ  ファ  ラ♭  ド
のパターンの繰り返しとした場合の請求項１に記載のハーモニカ。
【請求項４】
上記記載の構造を持つハーモニカにおいて、上側のリード板の左半分の吹音用のリードを
シ  レ  ファ  ラ  ド  ミ  ソ  シ  レ  ファ  ラ  ド
のパターンの繰り返しとし、吸音用リードを
ド  ミ  ソ  シ  レ  ファ  ラ  ド  ミ  ソ  シ  レ
のパターンの繰り返しとし、右半分の吹音用リードを
レ  ファ  ラ♭  ド  ミ♭  ソ  シ♭  レ  ファ  ラ♭  ド  ミ♭
のパターンの繰り返しとし、右半分の吸音用リードを
ミ♭  ソ  シ♭  レ  ファ  ラ♭  ド  ミ♭  ソ  シ♭  レ  ファ
のパターンの繰り返しとし、下側のリード板の左半分の吹音用のリードを
ラ♯  ド♯  ミ♯  ソ♯  シ  レ♯  ファ♯  ラ♯  ド♯  ミ♯  ソ♯  シ
のパターンの繰り返しとし、左半分の吸音用リードを
シ  レ♯  ファ♯  ラ♯  ド♯  ミ♯  ソ♯  シ  レ♯  ファ♯  ラ♯  ド♯
のパターンの繰り返しとし、右半分の吹音用リードを
シ♭  レ♭  ファ  ラ♭  ド♭  ミ♭  ソ♭  シ♭  レ♭  ファ  ラ♭  ド♭
のパターンの繰り返しとし、右半分の吸音用リードを
ド♭  ミ♭  ソ♭  シ♭  レ♭  ファ  ラ♭  ド♭  ミ♭  ソ♭  シ♭  レ♭
のパターンの繰り返しとした場合の請求項１に記載のハーモニカ。
【請求項５】
上記記載の構造を持つハーモニカにおいて、上側のリード板の左半分の吹音用のリードを
シ  レ  ファ  ラ  ド  ミ  ソ  シ  レ  ファ  ラ  ド
のパターンの繰り返しとし、吸音用リードを
ド  ミ  ソ  シ  レ  ファ  ラ  ド  ミ  ソ  シ  レ
のパターンの繰り返しとし、右半分の吹音用リードを
ソ♯  シ  レ  ファ♯  ラ  ド♯  ミ  ソ♯  シ  レ  ファ♯  ラ
のパターンの繰り返しとし、右半分の吸音用リードを
ラ  ド♯  ミ  ソ♯  シ  レ  ファ♯  ラ  ド♯  ミ  ソ♯  シ
のパターンの繰り返しとし、下側のリード板の左半分の吹音用のリードを
ラ♯  ド♯  ミ♯  ソ♯  シ  レ♯  ファ♯  ラ♯  ド♯  ミ♯  ソ♯  シ
のパターンの繰り返しとし、左半分の吸音用リードを
シ♯  レ♯  ファ♯  ラ♯  ド♯  ミ♯  ソ♯  シ  レ♯  ファ♯  ラ♯  ド♯
のパターンの繰り返しとし、右半分の吹音用リードを
ソ  シ♭  レ  ファ  ラ♭  ド  ミ♭  ソ  シ♭  レ  ファ  ラ♭
のパターンの繰り返しとし、右半分の吸音用リードを
ラ♭  ド  ミ♭  ソ  シ♭  レ  ファ  ラ♭  ド  ミ♭  ソ  シ♭
のパターンの繰り返しとした場合の請求項１に記載のハーモニカ。
【考案の詳細な説明】
【技術分野】
【０００１】この考案、は長短合わせて２４のコードを発生させることができるとともに、クロマチックハーモニカとしてメロディをも演奏できるようにしたコードハーモニカに関するものである。
【背景技術】
【０００２】参考図１に示すのは従来からあるアンサンブルでの伴奏用としてのコードハーモニカの外観である。接近させて設けられた３つの穴１４の各穴に対し１枚のリードが取り付けられ、３穴で１つのコードを表現し、それを２４組設け、全部で長短合わせて２４のコードを演奏できるようにしたものである。残念ながらそれらはコード伴奏のみでメロディ演奏をできるものではなかった。
【考案の概要】
【考案が解決しようとする課題】
【０００３】長短合わせて２４のコードを発生させることができるとともに、クロマチックハーモニカとしてメロディをも演奏出来るようなハーモニカを構成することである。
【課題を解決するための手段】
【０００４】スライド式、または仕切り板を入れることによってスライド式と同等の機能を持たせたハーモニカにおいて、穴全体を左半分と右半分に分けて考えた時、スライド板をプッシュしない状態で吹音と吸音を交互に繰り返した時、左半分と右半分がそれぞれ短３度の音程差を持つメジャースケールとなるようにし、スライド板をプッシュした時、左右それぞれのスケール上での導音を除く他の音が全て半音高くなるような音列、または、下属音を除く全ての音を半音低くなるようにした音列とすることによって実現した。
【図面の簡単な説明】
【０００５】左側のスケールのトニックをドとした移動ド唱法で示してある。
【図１】１穴につき吹音用リードと吸音用リードを２対持つスライド式ハーモニカで構成した場合のクロマチックコードハーモニカの音列を示す。
【図２】１穴につき吹音用リードと吸音用リードを１枚ずつ持つスライド式ハーモニカで構成した場合の左半分の音列。
【図３】１穴につき吹音用リードと吸音用リードを１枚ずつ持つスライド式ハーモニカで構成した場合の右半分の音列。
【図４】スライド式によらないでスライド式と同等の機能を持たせたハーモニカの構造。
【参考図面の簡単な説明】
【０００６】
【参考図１】
従来のコードハーモニカの外観
【譜面の簡単な説明】
【０００７】
【譜面１】
このハーモニカで演奏できるスケールを示している。
【譜面２】
このハーモニカで演奏できるコードを示している。
【考案を実施するための形態】
【０００８】  ハーモニカの構造としては、従来からある１穴につき４音のリードを持つスライド式クロマチックハーモニカと同じ、すなわち、１穴につき吹音用のリードと吸音用のリードが２対取り付けられ、スライド板の操作によってどちらか１対のみ音が出せるようにしたハーモニカと同じとする。音の配列は「図１」に示すようなものとする。ハーモニカ全体を半分にわけたとき、左半分はスライド板をプッシュしない状態で吹音と吸音を繰り返すことによってドを主音とするメジャースケールに、右半分は「ミ♭」を主音とするメジャースケールになるように配列されている。さらにスライド板をプッシュしたとき左右それぞれのスケール上での導音（左側においては「シ」、右側においては「レ」）を除く全ての音が半音高くなるようになっている。つまり、スライド板をプッシュしたとき、左半分は「ファ♯」を主音とするメジャースケール、右半分は「ラ」を主音とするメジャースケールとなる。図では左右とも８穴で描かれているが穴の数を増やし音域を広げることももちろん可能である。左右それぞれ３オクターブとしたときの音列を示せば、
スライド板をプッシュしない時、左半分の吹音用のリードは
シ  レ  ファ  ラ  ド  ミ  ソ  シ  レ  ファ  ラ  ド
のパターンの繰り返しとし、スライド板をプッシュしない時、左半分の吸音用リードは
ド  ミ  ソ  シ  レ  ファ  ラ  ド  ミ  ソ  シ  レ
のパターンの繰り返しとし、スライド板をプッシュしない時、右半分の吹音用リードは
レ  ファ  ラ♭  ド  ミ♭  ソ  シ♭  レ  ファ  ラ♭  ド  ミ♭
のパターンの繰り返しとし、スライド板をプッシュしない時、右半分の吸音用リードは
ミ♭  ソ  シ♭  レ  ファ  ラ♭  ド  ミ♭  ソ  シ♭  レ  ファ
のパターンの繰り返しとし、スライド板をプッシュした時、左半分の吹音用のリードは
シ  レ♯  ファ♯  ラ♯  ド♯  ミ♯  ソ♯  シ  レ♯  ファ♯  ラ♯  ド♯
のパターンの繰り返しとし、スライド板をプッシュした時、左半分の吸音用リードは
ド♯  ミ♯  ソ♯  シ  レ♯  ファ♯  ラ♯  ド♯  ミ♯  ソ♯  シ  レ♯
のパターンの繰り返しとし、スライド板をプッシュした時、右半分の吹音用リードは
レ  ファ♯  ラ  ド♯  ミ  ソ♯  シ  レ  ファ♯  ラ  ド♯  ミ
のパターンの繰り返しとし、スライド板をプッシュした時、右半分の吸音用リードは
ミ  ソ♯  シ  レ  ファ♯  ラ  ド♯  ミ  ソ♯  シ  レ  ファ♯
のパターンの繰り返しとなる。
音域全体に渡って吹音と吸音を繰り返すようになっているので、中音域と低音域・高音域とでは吹音と吸音の関係が逆になる。中音域ではド、ミ、ソ、シ、が吹音でレ、ファ、ラ、が吸音であるが、低音域・高音域ではド、ミ、ソ、シ、が吸音でレ、ファ、ラ、が吹音となる。また真ん中で穴の間隔を広くなるようにしてあるが、どうしてもそうしなければならないというものでもない。
【０００９】  このハーモニカで演奏できるスケールを譜面であらわせば「譜面１」になる。これはＣ音をドとした時のものであるが、任意のキーに移しても差し支えない。（ａ）はスライド板をプッシュしない時、左側で演奏した場合で、吹音と吸音を繰り返すことにより、Ｃメジャースケールとなる。（ｂ）はスライド板をプッシュした時左側で演奏した場合で、、Ｆ♯メジャースケールとなっている。（ｃ）はスライド板をプッシュしない時、右側で演奏した場合でＥ♭メジャースケールとなっている。（ｄ）はスライド板をプッシュした時、右側で演奏した場合でＡメジャースケールとなっている。いずれも全音域に渡って吹音と吸音を繰り返すようになっているから、連続する３つの穴を吹くかまたは吸うことによって、それぞれのスケール上での全てのダイアトニックコードが得られるようになっている。「譜面２」は実際に演奏出来るコードをあらわしたものである。（ａ）はスライド板をプッシュしない時左側８穴のうち連続する３つの穴を吹くかまたは吸ったときであり、Ｃ、Ｄｍ、Ｅｍ、Ｆ、Ｇ、Ａｍ  の６つのダイアトニックコードが出せる。（ｂ）はスライド板をプッシュした時左側８穴のうち連続する３つの穴を吹くかまたは吸ったときでありＦ♯、Ａ♭ｍ、Ｂ♭ｍ、Ｂ、Ｃ♯、Ｅ♭ｍ  の６つのダイアトニックコードが出せる。（ｃ）はスライド板をプッシュしない時、右側８穴のうち連続する３つの穴を吹くかまたは吸ったときであり
Ｅ♭、Ｆｍ、Ｇｍ、Ａ♭、Ｂ♭、Ｃｍ  の６つのダイアトニックコードが出せる。（ｄ）はスライド板をプッシュした時、右側８穴のうち連続する３つの穴を吹くかまたは吸ったときであり
Ａ、Ｂｍ、Ｃ♯ｍ、Ｄ、Ｅ、Ｆ♯ｍ  の６つのダイアトニックコードが出せる。以上長短合わせて２４のコード全てが出せる。もし望むなら、連続する４つの穴を吹くか吸うことによって、７ｔｈコードないしメジャー７ｔｈコードが出せる。アルペジオ演奏も自在である。
【０００１０】  スライド板をプッシュしない状態では左側は「ド」を主音とするメジャースケール、右側は「ミ♭」を主音とするメジャースケールとなっているが、スライド板をプッシュすることによって左右それぞれのスケール上の導音、すなわち、左側は「シ」、右側は「レ」の音を除く他の全ての音が半音高くなるようになっているから、左右それぞれクロマチックハーモニカとして機能させることができる（「シ」を半音高くした音は「ド」であるから、これを半音高くする必要はない）。スライド板をプッシュしたとき、左側は「ファ♯」を主音とするメジャースケール、右側は「ラ」を主音とするメジャースケールであるが、スライド板を元に戻すと、左右それぞれのスケール上の下属音、すなわち、左側は「シ」、右側は「レ」の音を除くすべての音が半音低くなるようになっている。クロマチックハーモニカとしてメロディを演奏する場合でも、Ｃ、Ｆ♯、Ｅ♭、Ａの３つのキーは既に用意されているから、これらを基本としてそれぞれのスケール上での下属音の音を半音上げることによって、５度上のキー、Ｇ、Ｃ♯、Ｂ♭、Ｅの４つ、導音の音を半音下げることによって、５度下のキー、Ｆ、Ｂ、Ａ♭、Ｄ、の４つ、と全てのキーへ移行できる。つまり、♯または♭を一つ付け加えるだけで全ての調に移行できるから、従来のクロマチックハーモニカに比べても移調作業は極めて簡単である。
【０００１１】  図では右側のキーが左側のキーより短３度高くなっているが、右側を短３度低いラを主音とするメジャースケールとしてもよい。その場合の音列を示せば、スライド板をプッシュしない時、左半分の吹音用のリードは
シ  レ  ファ  ラ  ド  ミ  ソ  シ  レ  ファ  ラ  ド
のパターンの繰り返しとし、スライド板をプッシュしない時、左半分の吸音用リードは
ド  ミ  ソ  シ  レ  ファ  ラ  ド  ミ  ソ  シ  レ
のパターンの繰り返しとし、スライド板をプッシュしない時、右半分の吹音用のリードは
ソ♯  シ  レ  ファ♯  ラ  ド♯  ミ  ソ♯  シ  レ  ファ♯  ラ
のパターンの繰り返しとし、スライド板をプッシュしない時、右半分の吸音用のリードは
ラ  ド♯  ミ  ソ♯  シ  レ  ファ♯  ラ  ド♯  ミ  ソ♯  シ
の繰り返しとし、スライド板をプッシュした時、左半分の吹音用のリードは
シ  レ♯  ファ♯  ラ♯  ド♯  ミ♯  ソ♯  シ  レ♯  ファ♯  ラ♯  ド♯
のパターンの繰り返しとし、スライド板をプッシュした時、左半分の吸音用リードは
ド♯  ミ♯  ソ♯  シ  レ♯  ファ♯  ラ♯  ド♯  ミ♯  ソ♯  シ  レ♯
のパターンの繰り返しとし、スライド板をプッシュした時、右半分の吹音用のリードは
ラ♭  ド  ミ♭  ソ  シ♭  レ  ファ  ラ♭  ド  ミ♭  ソ  シ♭
のパターンの繰り返しとし、スライド板をプッシュした時、右半分の吸音用のリードは
シ♭  レ  ファ  ラ♭  ド  ミ♭  ソ  シ♭  レ  ファ  ラ♭  ド
のパターンの繰り返しとなる。音列構造としては、図１の音列の左右を入れ替えたものと同じである。
【０００１２】  以上はスライド板をプッシュした時導音以外の音を半音高くなるようにしたのであるが、下属音以外の音を半音低くなるようにしても同じことである。右側を短３度高くした場合の音列は次のようになる。
スライド板をプッシュしない時、左半分の吹音用のリードは
シ  レ  ファ  ラ  ド  ミ  ソ  シ  レ  ファ  ラ  ド
のパターンの繰り返しとし、スライド板をプッシュしない時、左半分の吸音用リードは
ド  ミ  ソ  シ  レ  ファ  ラ  ド  ミ  ソ  シ  レ
のパターンの繰り返しとし、スライド板をプッシュしない時、右半分の吹音用リードは
レ  ファ  ラ♭  ド  ミ♭  ソ  シ♭  レ  ファ  ラ♭  ド  ミ♭
のパターンの繰り返しとし、スライド板をプッシュしない時、右半分の吸音用リードは
ミ♭  ソ  シ♭  レ  ファ  ラ♭  ド  ミ♭  ソ  シ♭  レ  ファ
のパターンの繰り返しとし、スライド板をプッシュした時、左半分の吹音用のリードは
ラ♯  ド♯  ミ♯  ソ♯  シ  レ♯  ファ♯  ラ♯  ド♯  ミ♯  ソ♯  シ
のパターンの繰り返しとし、スライド板をプッシュした時、左半分の吸音用のリードは
シ  レ♯  ファ♯  ラ♯  ド♯  ミ♯  ソ♯  シ  レ♯  ファ♯  ラ♯  ド♯
のパターンの繰り返しとし、スライド板をプッシュした時、右半分の吹音用のリードは
シ♭  レ♭  ファ  ラ♭  ド♭  ミ♭  ソ♭  シ♭  レ♭  ファ  ラ♭  ド♭
のパターンの繰り返しとし、スライド板をプッシュした時、右半分の吸音用のリードは
ド♭  ミ♭  ソ♭  シ♭  レ♭  ファ  ラ♭  ド♭  ミ♭  ソ♭  シ♭  レ♭
のパターンの繰り返しとなる。これは、音列構造としては図１のハーモニカの上側のリードの音列と下側のリードの音列を入れ替えたものに等しい。
右側を短３度低くするのなら、次のようになる。
スライド板をプッシュしない時、左半分の吹音用のリードは
シ  レ  ファ  ラ  ド  ミ  ソ  シ  レ  ファ  ラ  ド
のパターンの繰り返しとし、スライド板をプッシュしない時、左半分の吸音用リードは
ド  ミ  ソ  シ  レ  ファ  ラ  ド  ミ  ソ  シ  レ
のパターンの繰り返しとし、スライド板をプッシュしない時、右半分の吹音用のリードは
ソ♯  シ  レ  ファ♯  ラ  ド♯  ミ  ソ♯  シ  レ  ファ♯  ラ
のパターンの繰り返しとし、スライド板をプッシュしない時、右半分の吸音用のリードは
ラ  ド♯  ミ  ソ♯  シ  レ  ファ♯  ラ  ド♯  ミ  ソ♯  シ
の繰り返しとし、スライド板をプッシュした時、左半分の吹音用のリードは
ラ♯  ド♯  ミ♯  ソ♯  シ  レ♯  ファ♯  ラ♯  ド♯  ミ♯  ソ♯  シ
の繰り返しとし、スライド板をプッシュした時、左半分の吸音用のリードは
シ♯  レ♯  ファ♯  ラ♯  ド♯  ミ♯  ソ♯  シ  レ♯  ファ♯  ラ♯  ド♯
の繰り返しとし、スライド板をプッシュした時、右半分の吹音用のリードは
ソ  シ♭  レ  ファ  ラ♭  ド  ミ♭  ソ  シ♭  レ  ファ  ラ♭
の繰り返しとし、スライド板をプッシュした時、右半分の吸音用のリードは
ラ♭  ド  ミ♭  ソ  シ♭  レ  ファ  ラ♭  ド  ミ♭  ソ  シ♭
の繰り返しとなる。これは音列構造としては図１のハーモニカの左右を入れ替え、さらに、上下を入れ替えたものに等しい。
要約して言えば、吹音と吸音を交互に繰り返した時、左側と右側で短３度キーが異なったメジャースケールとなっており、スライド板をプッシュした時、それぞれのスケール上で、導音以外の全ての音が半音高くなるか、下属音以外の音が全て半音低くなるようにしさえすればクロマチック・コード・ハーモニカとして機能する。
【０００１３】  １穴につき吹音用リード２枚か吸音用リード２枚を有し、１穴ごとに吹音と吸音を繰り返すタイプのスライド式ハーモニカで構成した場合を図２と図３に示す。１穴ごとに吹音と吸音が交互に並んでいること意外は同じで、スライド板をプッシュしない時の吹音と吸音は図１に示したものの吹音と吸音の音列と同じであり、スライド板をプッシュした時の吹音と吸音は図１に示したものの吹音と吸音用の音列と同じである。
【０００１４】  スライド式によらなくても、図５に示す構造によって、スライド式ハーモニカと同じ機能を持たせることができるから、これによって構成しても良い。
１穴につき、上側に吹音用リード６と吸音用リード７が、下側に吹音用リード８と吸音用リード９とが設けられている。（ｃ）の側面図に見るように、吹音用リード６、８と吸音用リード７、９は横に並べられているのではなく、前と後ろに配列されている。これはハーモニカの横のサイズを小さくするためである。上側のハーモニカカバー２と上側のリード板４との間は上側の仕切り１０によって、下側のハーモニカカバー３と下側のリード板５との間は下側の仕切り１１とによって仕切られており、この仕切られた上側の各部屋に吹音用リード６と吸音用リード７とが、下側の部屋には吹音用リード８と吸音用リード９とが隔離された構造となっている。ハーモニカカバー２、３には穴のようなものは一切なく、通常のハーモニカ同様ハーモニカ後部に開口部１３が設けられている。こうした構造によって、吹口１２から息を吹く、または吸ったとき、開口部１３からのみ空気が出入りできるようになっている。従って、この開口部１３の下側を指などで塞いでしまえば、上側のリードだけ音が出せ、開口部１３の上側を塞いでしまえば、下側のリードだけ音が出せるようになる。これはスライド式ハーモニカと機能的には同じである。
横のサイズが大きいと開口部を指で塞ぐことが困難になるから、このタイプのハーモニカは、コンパクトなタイプに向いている。構造も簡単で、低価格で出来、メインテナンスも容易である。
【０００１５】  図では真ん中の部分だけ穴の間隔を広くしてあるが必ずしもそうする必要は無い。コンサート用として使用する場合にはミストーンを少なくするため、通常のスライド式ハーモニカより穴の間隔を広めに取った方がよいだろう。逆に手軽に携帯できる伴奏楽器として使うためには多少のミストーンは気にせず通常よりコンパクトに設計するのも面白いだろう。アンサンブル用としての用途は限られて言るが、コンパクトにすることによって、手軽に持ち運べ、例えば友人同士、リード演奏と伴奏を交代しながら演奏したり、手軽な歌の伴奏などとしての用途が考えられる。
【考案の効果】
【００１６】  この考案によって長短合わせて２４の全てのコードを発生させることができるとともに、クロマチックハーモニカとしてメロディをも演奏できるハーモニカを構成出来る。
【符号の説明】
【００１７】１  ハーモニカ
２  上側のハーモニカカバー
３  下側のハーモニカカバー
４  上側のリード板
５  下側のリード板
６  吹音用リード
７  吸音用リード
８  吹音用リード
９  吸音用リード
１０  上側の仕切り
１１  下側の仕切り
１２  吹き口
１３  開口部
１４  接近させて設けられた３つの穴
【図１】
0003181689.tif 000003
【図２】
0003181689.tif 000004
【図３】
0003181689.tif 000005
【図４】
0003181689.tif 000006
【手続補正書】
【提出日】平成24年11月20日(2012.11.20)
【手続補正１】
【補正対象書類名】実用新案登録請求の範囲
【補正対象項目名】全文
【補正方法】変更
【補正の内容】
【実用新案登録請求の範囲】
【請求項１】
１穴につき吹音用リードと吸音用リードが２対あり、スライド板の操作によりどちらか１対のみ音が出せるようにしたスライド式ハーモニカであって、音列を、上側のリード板の左半分の吹音用のリードをシ  レ  ファ  ラ  ド  ミ  ソ  シ  レ  ファ  ラ  ドのパターンの繰り返しとし、吸音用リードをド  ミ  ソ  シ  レ  ファ  ラ  ド  ミ  ソ  シ  レのパターンの繰り返しとし、右半分の吹音用リードをレ  ファ  ラ♭  ド  ミ♭  ソ  シ♭  レ  ファ  ラ♭  ド  ミ♭のパターンの繰り返しとし、右半分の吸音用リードをミ♭  ソ  シ♭  レ  ファ  ラ♭  ド  ミ♭  ソ  シ♭  レ  ファのパターンの繰り返しとし、下側のリード板の左半分の吹音用のリードをシ  レ♯  ファ♯  ラ♯  ド♯  ミ♯  ソ♯  シ  レ♯  ファ♯  ラ♯  ド♯のパターンの繰り返しとし、左半分の吸音用リードをド♯  ミ♯  ソ♯  シ  レ♯  ファ♯  ラ♯  ド♯  ミ♯  ソ♯  シ  レ♯のパターンの繰り返しとし、右半分の吹音用リードをレ  ファ♯  ラ  ド♯  ミ  ソ♯  シ  レ  ファ♯  ラ  ド♯  ミのパターンの繰り返しとし、右半分の吸音用リードをミ  ソ♯  シ  レ  ファ♯  ラ  ド♯  ミ  ソ♯  シ  レ  ファ♯のパターンの繰り返しとしたハーモニカ。
【請求項２】
１穴につき吹音用リード２枚または吸音用のリード２枚を持ち、スライド板の操作により、どちらか１枚のみ音が出せるようにし、１穴ごとに吹音と吸音を交互に繰り返すタイプのスライド式ハーモニカであって、音列を、上側のリード板の左半分の吹音用のリードをシ  レ  ファ  ラ  ド  ミ  ソ  シ  レ  ファ  ラ  ドのパターンの繰り返しとし、吸音用リードをド  ミ  ソ  シ  レ  ファ  ラ  ド  ミ  ソ  シ  レのパターンの繰り返しとし、右半分の吹音用リードをレ  ファ  ラ♭  ド  ミ♭  ソ  シ♭  レ  ファ  ラ♭  ド  ミ♭のパターンの繰り返しとし、右半分の吸音用リードをミ♭  ソ  シ♭  レ  ファ  ラ♭  ド  ミ♭  ソ  シ♭  レ  ファのパターンの繰り返しとし、下側のリード板の左半分の吹音用のリードをシ  レ♯  ファ♯  ラ♯  ド♯  ミ♯  ソ♯  シ  レ♯  ファ♯  ラ♯  ド♯のパターンの繰り返しとし、左半分の吸音用リードをド♯  ミ♯  ソ♯  シ  レ♯  ファ♯  ラ♯  ド♯  ミ♯  ソ♯  シ  レ♯のパターンの繰り返しとし、右半分の吹音用リードをレ  ファ♯  ラ  ド♯  ミ  ソ♯  シ  レ  ファ♯  ラ  ド♯  ミのパターンの繰り返しとし、右半分の吸音用リードをミ  ソ♯  シ  レ  ファ♯  ラ  ド♯  ミ  ソ♯  シ  レ  ファ♯のパターンの繰り返しとしたハーモニカ。
【請求項３】
１穴につき吹音用リードと吸音用リードが２対ありハーモニカカバーとハーモニカ本体との間に仕切り板を設け、この仕切られた各部屋に、吹音用リードと吸音用リードの各対を隔離した構造のハーモニカとし、音列を、上側のリード板の左半分の吹音用のリードをシ  レ  ファ  ラ  ド  ミ  ソ  シ  レ  ファ  ラ  ドのパターンの繰り返しとし、吸音用リードをド  ミ  ソ  シ  レ  ファ  ラ  ド  ミ  ソ  シ  レのパターンの繰り返しとし、右半分の吹音用リードをレ  ファ  ラ♭  ド  ミ♭  ソ  シ♭  レ  ファ  ラ♭  ド  ミ♭のパターンの繰り返しとし、右半分の吸音用リードをミ♭  ソ  シ♭  レ  ファ  ラ♭  ド  ミ♭  ソ  シ♭  レ  ファのパターンの繰り返しとし、下側のリード板の左半分の吹音用のリードをシ  レ♯  ファ♯  ラ♯  ド♯  ミ♯  ソ♯  シ  レ♯  ファ♯  ラ♯  ド♯のパターンの繰り返しとし、左半分の吸音用リードをド♯  ミ♯  ソ♯  シ  レ♯  ファ♯  ラ♯  ド♯  ミ♯  ソ♯  シ  レ♯のパターンの繰り返しとし、右半分の吹音用リードをレ  ファ♯  ラ  ド♯  ミ  ソ♯  シ  レ  ファ♯  ラ  ド♯  ミのパターンの繰り返しとし、右半分の吸音用リードをミ  ソ♯  シ  レ  ファ♯  ラ  ド♯  ミ  ソ♯  シ  レ  ファ♯のパターンの繰り返しとしたハーモニカ。
【手続補正３】
【補正対象書類名】明細書
【補正対象項目名】０００１
【補正方法】変更
【補正の内容】
【０００１】この考案、は長短合わせて２４のコードを発生させることができるとともに、クロマチックハーモニカとしてメロディをも演奏できるようにしたハーモニカに関するものである。
【手続補正４】
【補正対象書類名】明細書
【補正対象項目名】０００１２
【補正方法】変更
【補正の内容】
【０００１２】  以上はスライド板をプッシュした時導音以外の音を半音高くなるようにしたのであるが、下属音以外の音を半音低くなるようにしても同じことである。右側を短３度高くした場合の音列は次のようになる。スライド板をプッシュしない時、左半分の吹音用のリードはシ  レ  ファ  ラ  ド  ミ  ソ  シ  レ  ファ  ラ  ドのパターンの繰り返しとし、スライド板をプッシュしない時、左半分の吸音用リードはド  ミ  ソ  シ  レ  ファ  ラ  ド  ミ  ソ  シ  レのパターンの繰り返しとし、スライド板をプッシュしない時、右半分の吹音用リードはレ  ファ  ラ♭  ド  ミ♭  ソ  シ♭  レ  ファ  ラ♭  ド  ミ♭のパターンの繰り返しとし、スライド板をプッシュしない時、右半分の吸音用リードはミ♭  ソ  シ♭  レ  ファ  ラ♭  ド  ミ♭  ソ  シ♭  レ  ファのパターンの繰り返しとし、スライド板をプッシュした時、左半分の吹音用のリードはラ♯  ド♯  ミ♯  ソ♯  シ  レ♯  ファ♯  ラ♯  ド♯  ミ♯  ソ♯  シのパターンの繰り返しとし、スライド板をプッシュした時、左半分の吸音用のリードはシ  レ♯  ファ♯  ラ♯  ド♯  ミ♯  ソ♯  シ  レ♯  ファ♯  ラ♯  ド♯のパターンの繰り返しとし、スライド板をプッシュした時、右半分の吹音用のリードはド♯  ミ  ソド♯  ミ  ソ♯  シ  レ  シ  レ  ファ♯  ラ  ド♯  ミ  ソ♯  シ  レのパターンの繰り返しとし、スライド板をプッシュした時、右半分の吸音用のリードはレ  ファ♯  ラ  ド♯  ミ  ソ♯  シ  レ  ファ♯  ラ  ド♯  ミのパターンの繰り返しとなる。これは、音列構造としては図１のハーモニカの上側のリードの音列と下側のリードの音列を入れ替えたものに等しい。  右側を短３度低くするのなら、次のようになる。スライド板をプッシュしない時、左半分の吹音用のリードはシ  レ  ファ  ラ  ド  ミ  ソ  シ  レ  ファ  ラ  ドのパターンの繰り返しとし、スライド板をプッシュしない時、左半分の吸音用リードはド  ミ  ソ  シ  レ  ファ  ラ  ド  ミ  ソ  シ  レのパターンの繰り返しとし、スライド板をプッシュしない時、右半分の吹音用のリードはソ♯  シ  レ  ファ♯  ラ  ド♯  ミ  ソ♯  シ  レ  ファ♯  ラのパターンの繰り返しとし、スライド板をプッシュしない時、右半分の吸音用のリードはラ  ド♯  ミ  ソ♯  シ  レ  ファ♯  ラ  ド♯  ミ  ソ♯  シの繰り返しとし、スライド板をプッシュした時、左半分の吹音用のリードはラ♯  ド♯  ミ♯  ソ♯  シ  レ♯  ファ♯  ラ♯  ド♯  ミ♯  ソ♯  シの繰り返しとし、スライド板をプッシュした時、左半分の吸音用のリードはシ♯  レ♯  ファ♯  ラ♯  ド♯  ミ♯  ソ♯  シ  レ♯  ファ♯  ラ♯  ド♯の繰り返しとし、スライド板をプッシュした時、右半分の吹音用のリードはソ  シ♭  レ  ファ  ラ♭  ド  ミ♭  ソ  シ♭  レ  ファ  ラ♭の繰り返しとし、スライド板をプッシュした時、右半分の吸音用のリードはラ♭  ド  ミ♭  ソ  シ♭  レ  ファ  ラ♭  ド  ミ♭  ソ  シ♭の繰り返しとなる。これは音列構造としては図１のハーモニカの左右を入れ替え、さらに、上下を入れ替えたものに等しい。  要約して言えば、吹音と吸音を交互に繰り返した時、左側と右側で短３度キーが異なったメジャースケールとなっており、スライド板をプッシュした時、それぞれのスケール上で、導音以外の全ての音が半音高くなるか、下属音以外の音が全て半音低くなるようにしさえすればクロマチック・コード・ハーモニカとして機能する。
【手続補正５】
【補正対象書類名】明細書
【補正対象項目名】０００１５
【補正方法】変更
【補正の内容】
【０００１５】  図では真ん中の部分だけ穴の間隔を広くしてあるが必ずしもそうする必要は無い。コンサート用として使用する場合にはミストーンを少なくするため、通常のスライド式ハーモニカより穴の間隔を広めに取った方がよいだろう。逆に手軽に携帯できる伴奏楽器として使うためには多少のミストーンは気にせず通常よりコンパクトに設計するのも面白いだろう。アンサンブル用としての用途は限られて言るが、コンパクトにすることによって、手軽に持ち運べ、例えば友人同士、リード演奏と伴奏を交代しながら演奏したり、手軽な歌の伴奏などとしての用途が考えられる。注意すべきは、このハーモニカはベース奏法などのように、コード伴奏をしながら同時にメロディを演奏するようなことはできないことである。あくまでも、コード伴奏はコード伴奏、リード演奏はリード演奏として、個別にやらなければならない。